(57)【要約】投影型テレビ受信機用の水平ラスタ位置調整回路は、構成部品を最小限に抑え、回路内の電力損失をほとんど伴わずにラスタ位置調整を提供するように、三つの陰極線管の水平偏向コイルの両端に置かれた単一のインダクタを有し、ダイオードによって導かれた、大きさが等しく、極性が反対の電流を、交流結合された水平偏向ヨークのうちの二つに供給する。
2006528860.tif 000002
【特許請求の範囲】
【請求項１】
投影型テレビ受信機において、赤、緑及び青の陰極線管の赤、緑及び青の水平偏向コイルを夫々駆動するための水平偏向回路において：
高電圧供給；
該高電圧供給から高電圧を受けるように一方の端子で結合されたラインインダクタンスコイル；
該ラインインダクタンスコイルの他方の端子を選択的に接地に結合するスイッチ；
該スイッチの両端に結合されたダンピングダイオード及び帰線キャパシタの並列配置；
前記ラインインダクタンスコイルの前記他方の端子に結合された第１の端部と、第２の端部とを夫々有する前記赤、緑及び青の偏向コイル；及び
少なくとも該赤、緑及び青の偏向コイルの前記第２の端部を接地に結合するキャパシタンス手段；
を有し、
当該水平偏向回路は、前記赤、緑及び青の陰極線管によって発せられる表示ラスタの水平位置調整を達成する回路を更に有し、該水平位置調整回路が：
第１及び第２の端部を有するインダクタンスコイル；
該インダクタンスコイルの第１の端部を前記ラインインダクタンスコイルの前記他方の端子に結合する手段；
前記赤及び青の偏向コイルの第２の端部を相互接続し、その間の接続点が前記インダクタンスコイルの第２の端部に接続されている第１及び第２のダイオードの直列配置；及び
少なくとも前記赤及び青の偏向コイルの第２の端部を接続節点に結合するキャパシタ手段と、該接続節点を接地に結合するＳ字形成キャパシタ手段とを有する前記キャパシタンス手段；
を有することを特徴とする水平偏向回路。
【請求項２】
前記キャパシタンス手段は、前記青の偏向コイルの第２の端部を前記接続節点に接続する第１のキャパシタと、前記赤の偏向コイルの第２の端部を前記接続節点に接続する第２のキャパシタと、前記接続節点を接地に接続するＳ字形成キャパシタとを有することを特徴とする、請求項１記載の水平偏向回路。
【請求項３】
前記キャパシタンス手段は、前記青の偏向コイルの第２の端部を前記接続節点に接続する第１のキャパシタと、前記赤の偏向コイルの第２の端部を前記接続節点に接続する第２のキャパシタと、前記緑の偏向コイルの第２の端部を前記接続節点に接続する第３のキャパシタとを有し、その場合、前記接続節点は、接地に接続されており、
前記第１、第２及び第３のキャパシタは、前記Ｓ字形成キャパシタ手段を有し、等しい値を有し、前記Ｓ字形成キャパシタ手段の容量値の３分の１に夫々等しいことを特徴とする、請求項１記載の水平偏向回路。
【請求項４】
前記結合手段は、前記インダクタンスコイルの前記第１の端部が接続されたセンタータッピングで形成されている前記ラインインダクタンスコイルを有することを特徴とする、請求項１記載の水平偏向回路。
【請求項５】
前記キャパシタンス手段は、前記青の偏向コイルの第２の端部を前記接続節点に接続する第１のキャパシタと、前記赤の偏向コイルの第２の端部を前記接続節点に接続する第２のキャパシタと、前記接続節点を接地に接続するＳ字形成キャパシタとを有することを特徴とする、請求項４記載の水平偏向回路。
【請求項６】
前記キャパシタンス手段は、前記青の偏向コイルの第２の端部を前記接続節点に接続する第１のキャパシタと、前記赤の偏向コイルの第２の端部を前記接続節点に接続する第２のキャパシタと、前記緑の偏向コイルの第２の端部を前記接続節点に接続する第３のキャパシタとを有し、その場合、前記接続節点は、接地に接続されており、
前記第１、第２及び第３のキャパシタは、前記Ｓ字形成キャパシタ手段を有し、等しい値を有し、前記Ｓ字形成キャパシタ手段の容量値の３分の１に夫々等しいことを特徴とする、請求項４記載の水平偏向回路。
【発明の詳細な説明】
【技術分野】
【０００１】
本発明は、投影型テレビ受信機と、投影型テレビ受信機のスクリーン上で像の位置を調整するための回路とに関する。
【背景技術】
【０００２】
陰極線管（ＣＲＴ）を使用するテレビ受信機において、水平及び偏向ヨークの電流は、電子ビームを偏向させるために、ＣＲＴのネック部に実装された偏向コイルにおいて磁界を発生させるよう引き起こされる。偏向ヨークは、ＣＲＴの表面上のｘ及びｙ軸で電子ビームの動きを制御するように、別々の二組の巻線、即ち、水平及び垂直巻線を有する。電子ビームは、ＣＲＴのネック部において加熱された陰極素子によって作られ、ビーム中の電子は、ＣＲＴの陽極素子での高電圧によってＣＲＴの表面に向かって加速される。ＣＲＴの表面には、電子ビームによって衝突された短時間の間発光する蛍光物質が薄く塗布されている。このビームがＣＲＴの表面に亘って偏向されると、それは、変化する輝度強さの領域を作るようにレベル強度において調節され、このようにしてＣＲＴの表面上で画像を形成する。この結果として得られる画像は、ラスタと呼ばれる。
【０００３】
カラーラスタを作るには、三つの別々の輝度を制御された陰極素子が、色の全スペクトラムを作るために、三つの異なる色、即ち、赤、緑及び青の蛍光物質と共に使用される。
【０００４】
投影型テレビ受信機（ＰＴＶ）では、一つの陰極のみを夫々有し、ＣＲＴ表体上に単一の異なる色の蛍光物質を夫々有する三つの別個のＣＲＴが存在する。これらのＣＲＴは、夫々、赤、緑及び青のＣＲＴと呼ばれている。夫々の別々のカラーラスタ画像は、レンズによって光学的に増幅され、観るためのスクリーンに投影される。背面投影型テレビ受信機の場合には、レンズによって増幅された別々のカラーラスタ画像は、観るための透過スクリーンの背面上にミラーを介して投影される。
【０００５】
夫々のＣＲＴの電子ビームは、夫々のＣＲＴのネック部に実装されている別々の主要な偏向ヨーク及び集束ヨークと呼ばれる補助ヨークによって制御される。しかし、三つの投影画像は、スクリーン上で相互に重なり合わない。これは、三つの別々の画像が夫々のＣＲＴ表面からスクリーンに伝わる三つの異なる光路に起因する。この集束のばらつきを補正するように、電流は、夫々の集束ヨークを駆動する集束回路によって作られる。集束ヨークによって生じ、結果として得られる磁界は、主要な偏向ヨーク場を補助及び妨害する。
【０００６】
ＰＴＶの三つのＣＲＴは、一般的に、水平軸上で並行して置かれている。慣例により、緑のＣＲＴは中間に位置し、赤及び青のＣＲＴは緑のＣＲＴの外側寄りに位置する。更に、赤及び青のＣＲＴは、緑のＣＲＴに向かって内側の角度で向くように、僅かに角度を付けられている。三色の画像の異なる光路と結びつけて考えられているこの配置により、結果として、赤及び青のＣＲＴの画像は、表示された赤及び青のＣＲＴ画像の歪みを生じさせるように、緑のＣＲＴ画像とは異なる角度でスクリーン上に投影されうる。この歪みを補正するように、赤及び青のＣＲＴのラスタ画像は、緑のＣＲＴから離れた方向にある赤及び青のＣＲＴの表面上で水平方向にシフトされる。夫々のＣＲＴの夫々の偏向ビームは、ラスタ走査時に同じ方向に動くので、このシフトは、赤及び青のＣＲＴに対して極性が逆となる。
【０００７】
このような水平ラスタ位置調整シフトを達成するための四つの方法：（１）赤及び青の水平ヨーク巻線に直流電流を流す方法と；（２）赤及び青の補助集束ヨークの水平巻線に直流電流を流す方法と；（３）赤及び青のＣＲＴを取り巻くように置かれた位置調整マグネットリングを用いて赤及び青のラスタをシフトする方法と；（４）（１）、（２）及び（３）の方法の如何なる組み合わせによる方法とがある。
【０００８】
図１Ａは、如何なるラスタ位置調整回路も伴わない標準的なＰＶＴの水平偏向回路用の単純化された回路図を示す。トランジスタＱ１は、水平出力トランジスタであり、結果として発生するラスタが入来する映像信号と正確にタイミングを合わせられるように、トランジスタＱ１のスイッチング動作を入来する映像信号と同期させる回路（図示せず。）によって３１．５ｋＨｚの周波数で駆動されるスイッチとして動作する。ダイオードＤ１はダンピング（ｄａｍｐｉｎｇ）ダイオードであり、キャパシタＣＲは帰線キャパシタである。巻線ＬＨＧ、ＬＨＢ及びＬＨＲは、三つの夫々の色のＣＲＴの夫々のネック部に置かれた緑、青及び赤の偏向ヨークの夫々の水平巻線である。キャパシタＣＳはＳ字形成キャパシタであり、巻線Ｔ１は走査変圧器Ｔの一次巻線である。動作の際に、トランジスタＱ１は、最初はオフであり、キャパシタＣＳは、供給電圧Ｂ＋のレベルに充電される。巻線ＬＨＧ、ＬＨＢ及びＬＨＲには電流が流れておらず、従って、電子ビームはＣＲＴの中央部にある。次に、トランジスタＱ１は、低い抵抗のスイッチとして導通し、電流は、線形に増大しながらキャパシタＣＳから夫々の偏向ヨークを通って、それからトランジスタＱ１を通って接地に流れる。三つの電子ビームは、夫々のＣＲＴの中央部から右端まで偏向される。次に、水平ドライバ回路は、トランジスタＱ１をオフとする。その場合、夫々のヨークに流れる誘導電流（及び巻線Ｔ１に流れる電流）は、図１Ｂに示されているように、水平帰線キャパシタＣＲに流れ込み、キャパシタＣＲを短時間で高い値（ＶＰＫ）に充電しうる。巻線ＬＨＧ、ＬＨＢ、ＬＨＲ及びＴ１の並列値と等価なインダクタンスは、キャパシタＣＲと共に高いＱ値を有する共振回路を形成する。ここで、三つの偏向ヨークを流れる電流の振幅が小さなりつつあると、電子ビームは、ＣＲＴの右端から中央部に素早く動かされる。今度は、キャパシタＣＲは逆方向で偏向ヨークを介して素早く放電し、電子ビームはＣＲＴの左端までずっと動き続ける。このようなキャパシタＣＲの充電及び放電の期間は、水平帰線時間間隔と呼ばれ、その間に、映像回路は電子ビームの輝度を目に見えないように低下させる。水平帰線の間に、ダンピングダイオードＤ１は逆バイアスをかけられる。キャパシタＣＲが完全に放電すると、キャパシタＣＲの上側の端子での電圧は、負になろうとして、ダイオードＤ１に順バイアスをかける。その場合、ダイオードＤ１は、偏向ヨークの電流を、線形に減少させながらキャパシタＣＳに戻す。従って、電子ビームは、ＣＲＴの左側から中央部に戻る。次に、周期が繰り返す。従って、ランプ形の電流波形ＩＬＨＧ、ＩＬＨＢ及びＩＬＨＲが、夫々、図１Ｃに示されている夫々の水平偏向ヨークにおいて生じる。キャパシタＣＳの容量値は、その電流のランプがキャパシタＣＳの両端で放物線の電圧波形を生じさせるように選ばれる。この放物線の電圧波形は、ＣＲＴ表体の平坦さを補償するように電流を「Ｓ字形」とする夫々の偏向ヨークを流れる電流のランプを僅かに修正するために使用される。キャパシタＣＳの存在は、また、効果的に如何なる直流電流も夫々のヨークを流れないようにする。
【０００９】
図２は、赤及び青のラスタをシフトするように巻線ＬＨＢ及びＬＨＲを通る直流電流フローを得るための一つの方法の回路図を示す。「浮動」デュアル直流電力供給は、インダクタＬ１と、ダイオードＤ２及びＤ３と、キャパシタＣ３及びＣ４と、走査変圧器Ｔの分岐された二次巻線Ｔ２ａ／Ｔ２ｂとによって形成されている。この配置は、一般的にＢ＋の供給レベルよりも１０ボルトだけ高く、１０ボルトだけ低い二つの直流電圧を発生させる。従って、ダイオードＤ２及びキャパシタＣ３の接続点での直流電圧は、Ｂ＋の供給電圧を１０ボルトだけ下回り、ダイオードＤ３及びキャパシタＣ４の接続点での直流電圧は、Ｂ＋の供給電圧を１０ボルトだけ上回る。留意すべきは、図２において、三つの偏向ヨークの上側の端子での平均電圧は、Ｂ＋のレベルであり、インダクタの如何なる巻線の両端の平均電圧降下も零でなければならないという点である。同様に、巻線ＬＨＢ及びＬＨＲの両端の平均は零であるので、抵抗Ｒ１及びＲ２の両端には１０ボルトが存在する。これにより、結果として、抵抗Ｒ１を流れるＩＲ１で示された直流電流と、抵抗Ｒ２を流れるＩＲ２で示された直流電流とが得られる。これらの直流電流は、キャパシタＣ１及びＣ２の直流遮断動作によって、夫々、巻線ＬＨＢ及びＬＨＲを流れなければならない。巻線ＬＨＢ及びＬＨＲを流れる直流電流により、夫々のラスタは、互いに対して逆向きで青及び赤のＣＲＴの表面上でシフトされる。キャパシタＣ３及びＣ４の接続点をＢ＋電源に単純に接続することは、キャパシタＣＳの所望の動作を短絡させるので、インダクタＬ１が必要とされる。
【００１０】
しかし、図２のラスタ位置調整回路の構成は、それ自体の問題を伴わないわけではない。一つの問題は、比較的多数の部品が必要とされる点である。また、走査変圧器Ｔは、二つの浮動電力供給を形成するために必要とされるので、それは三つのピンを必要とする。しばしば、ＰＴＶの動作に対して必要である幾つかの他の電圧供給が変圧器Ｔで巻線から作られるような、走査変圧器Ｔで利用可能である余分なピンは、十分にあるわけではない。それらの浮動性質のために、図２で形成された電力供給は、ＰＴＶの他の回路領域では使用され得ない。位置調整電流の温度安定性も懸念事項である。ラスタシフトを引き起こす直流電流のレベルは、キャパシタＣ３及びＣ４の両端で発生した直流電圧のレベルと、抵抗器Ｒ１及びＲ２の抵抗値と、それ程ではないが、インダクタＬ１並びに巻線Ｔ１、ＬＨＢ及びＬＨＲの抵抗とによって決定される。
【００１１】
キャパシタＣ３及びＣ４の両端で発生した直流電圧は、ダイオードＤ２及びＤ３の順方向電圧降下に依存する。ダイオードは温度に依存する順方向電圧降下を示すことが、よく知られる。これにより、結果として、キャパシタＣ３及びＣ４の両端で発生した直流電圧は温度に敏感である。抵抗器Ｒ１、Ｒ２の正確な抵抗値とインダクタＬ１並びに巻線Ｔ１及びＬＨＲの抵抗とは、また、温度に依存しうる。最終的に、直流ラスタ位置調整電流は温度により変化する。これにより、結果として、赤及び青のラスタは、緑のラスタに対してシフトされるようになり、それによって、スクリーン上でカラー画像の照準ミスを引き起こす。
【００１２】
図２のラスタ位置調整回路の改善を図３Ａに示す。インダクタＬ２及びダイオードＤ４は、青の水平偏向ヨークＬＨＢの両端に加えられ、インダクタＬ３及びダイオードＤ５は、赤の水平偏向ヨークＬＨＲの両端に加えられている。インダクタＬ２及びＬ３は、ランプ形の電流ＩＤ４及びＩＤ５を夫々発生させるように、ダイオードＤ１のコレクタでのパルス波形を結合する。ダイオードＤ４及びＤ５の存在によって、図３Ｂ及び３Ｃに示されているように、電流ＩＤ４及びＩＤ５は零にクランプされる。図２と同じく、キャパシタＣ１及びＣ２は、また、巻線ＬＨＢ及びＬＨＲを交流結合するよう水平偏向回路に加えられなければならず、それによって、直流電流が如何なる他の回路も乱さずに巻線ＬＨＢ及びＬＨＲに流されることを可能にする。
【００１３】
図３Ａの回路動作は、巻線ＬＨＢ及びダイオードＤ４の電流の瞬時和がキャパシタＣ１の電流と等しくなることに注目することによって説明することができる。言い換えると、ＩＬＨＢ＋ＩＤ４＝ＩＣ１である。同様に、ＩＤ５＋ＩＣ２＝ＩＬＨＲである。水平走査の開始時に、電子ビームがＣＲＴ表面の右側にある場合には、ダイオードＤ４の電流が零であるので、青の水平ヨークの電流ＩＬＨＢはキャパシタＣ１の電流に等しい。電子ビームがＣＲＴの表面を横切って動かされると、巻線ＬＨＢの電流は、ダイオードＤ４に流れている電流の量によって低下する。キャパシタＣ１に流れている電流の平均値は零でなければならないので、これにより、図３Ｄに示されているように、電流ＩＬＨＢは非対称となる。これにより、結果として、青のＣＲＴの表面上のラスタは左にシフトされる。水平走査の開始時に、電子ビームがＣＲＴ表面の左側にある場合には、赤の水平ヨークの電流ＩＬＨＲは、からＩＤ５を引いた値に等しい。電子ビームがＣＲＴの表面を横切って動かされると、ダイオードＤ５の電流ＩＤ５が走査終了時に零近くになるよう徐々に低減されるので、電流ＩＬＨＲは増大する。キャパシタＣ２に流れている電流の平均値は零でなければならないので、これにより、図３Ｅに示されているように、電流ＩＬＨＲは非対称となる。これにより、結果として、赤のＣＲＴの表面上のラスタは右にシフトされる。
【００１４】
一つには、ダイオードＤ４及びＤ５の結果として、効果的に電流ＩＤ４及びＩＤ５がＩＣＢ及びＩＣＲと夫々呼ばれる直流値を有する交流波形であることに注目することによって、図３Ａの回路動作を説明することができる。ＩＤ４及びＩＤ５の交流成分は、夫々、キャパシタＣ１及びＣ２を流れうるが、直流成分ＩＣＢ及びＩＣＲは、夫々、所望のラスタシフトを生ずるように、巻線ＬＨＢ及びＬＨＲを流れなければならない。このラスタシフトのレベルは、緑のヨーク電流に関して、青のヨークに対してはＩＣＢ、赤のヨークに対してはＩＣＲである。ラスタシフトのレベルは、インダクタＬ２及びＬ３のインダクタンス値によって調整される。インダクタＬ２及びＬ３の値が小さくなればなるほど、ＩＣＢ及びＩＣＲのレベルは高くなり、ラスタシフトの量は増大する。
【００１５】
図３Ａのラスタ位置調整回路の温度性能は、ＩＣＢ又はＩＣＲのレベルが、夫々、インダクタＬ２若しくはＬ３の又は巻線ＬＨＢ若しくはＬＨＲの抵抗ではなく、インダクタＬ２又はＬ３のインダクタンス値によってのみ決定される点で、図２の回路の温度性能に対して改善されている。ダイオードＤ４及びＤ５の順方向電圧降下は、ダイオードＤ１のコレクタでの電圧パルスが数百ボルトであるので、ＩＣＢ及びＩＣＲのレベルに寄与しない。従って、図３Ａ中のダイオードＤ４又はＤ５の順方向電圧降下のレベルの如何なる変化も無力にされる。インダクタＬ２及びＬ３の磁気コア材を注意深く選ぶことによって、温度による無視することのできるインダクタンス変動に対して、それらを設計することが可能である。
【発明の開示】
【発明が解決しようとする課題】
【００１６】
本発明の目的は、経済的に製造され、電力損失を無視できる程度にし、温度安定性を示す投影型テレビ受信機用のライン偏向回路における水平ラスタ位置調整回路を提供することである。
【課題を解決するための手段】
【００１７】
この目的は、投影型テレビ受信機において、赤、緑及び青の陰極線管の赤、緑及び青の水平偏向コイルを夫々駆動するための水平偏向回路において達成され、当該水平偏向回路は：高電圧供給；該高電圧供給から高電圧を受けるように一方の端子で結合されたラインインダクタンスコイル；該ラインインダクタンスコイルの他方の端子を選択的に接地に結合するスイッチ；該スイッチの両端に結合されたダンピングダイオード及び帰線キャパシタの並列配置；前記ラインインダクタンスコイルの前記他方の端子に結合された第１の端部と、第２の端部とを夫々有する前記赤、緑及び青の偏向コイル；及び少なくとも該赤、緑及び青の偏向コイルの前記第２の端部を接地に結合するキャパシタンス手段；を有し、当該水平偏向回路は、前記赤、緑及び青の陰極線管によって発せられる表示ラスタの水平位置調整を達成する回路を更に有し、該水平位置調整回路は：第１及び第２の端部を有するインダクタンスコイル；該インダクタンスコイルの第１の端部を前記ラインインダクタンスコイルの前記他方の端子に結合する手段；前記赤及び青の偏向コイルの第２の端部を相互接続し、その間の接続点が前記インダクタンスコイルの第２の端部に接続されている第１及び第２のダイオードの直列配置；及び少なくとも前記赤及び青の偏向コイルの第２の端部を接続節点に結合するキャパシタ手段と、該接続節点を接地に結合するＳ字形成キャパシタ手段とを有する前記キャパシタンス手段；を有する。
【００１８】
このように配置されることで、本発明は、図２の従来技術の構成と比較された場合に、多数の利点を示す。詳細には、所望のラスタシフトを作るために必要とされる部品の総数はより一層少なく、結果として、より費用が安くなり、より少ないプリント回路基板領域しか必要としないより信頼性の高い回路が得られる。更に、本発明の位置調整回路では抵抗器が存在しないので、位置調整回路は、動作に際してほとんど電力損失を生じない。本発明の位置調整回路の温度安定性は、図２に示されている従来技術の回路の温度安定性に対して非常に改善されている。詳細には、図２の従来技術の回路では、直流ラスタシフト電流は、キャパシタＣ３及びＣ４の両端の電圧によって、及び主として抵抗器Ｒ１及びＲ２によって決定されている。それらの全ては、投影型テレビ受信機の動作温度により変化しうるパラメータである。本発明の位置調整回路では、直流ラスタシフト電流は、インダクタンスコイルのインダクタンス値に主として依存する。インダクタンスコイルの磁気コア材を注意深く選ぶことによって、温度による無視することのできるインダクタンス変動に対して、それらを設計することが可能である。
【００１９】
本発明の位置調整回路は、図３Ａの従来技術の回路と同じ結果を達成する。しかし、留意すべきは、本発明の位置調整回路は、図３Ａに示されている双対のインダクタＬ２及びＬ３に対し、単一の誘導コイルしか必要としない点である。
【発明を実施するための最良の形態】
【００２０】
上記及び後述される更なる目的及び利点と共に、本発明を添付の図面を参照して説明する。
【００２１】
図１Ａ、２及び３Ａと同様に、図４Ａに示されている本発明の水平偏向回路において、トランジスタＱ１は、水平出力トランジスタであり、トランジスタＱ１のスイッチング動作を入来する映像信号と同期させるために３１．５ｋＨｚの周波数で駆動されるスイッチとして動作する。ダンピングダイオードＤ１及び帰線キャパシタＣＲは、トランジスタＱ１のエミッタとコレクタとの間に配置されている。供給電圧Ｂ＋は、走査変圧器Ｔの一次巻線Ｔ１の一方の端部に印加され、一次巻線Ｔ１の他方の端部は、トランジスタＱ１のコレクタに接続されている。
【００２２】
緑の偏向ヨークＬＨＧは、トランジスタＱ１のコレクタに接続された一方の端部と、Ｓ字形成キャパシタＣＳを介して接地に接続された他方の端部とを有する。青の偏向ヨークＬＨＢは、トランジスタＱ１のコレクタに接続された一方の端部と、キャパシタＣ１を介してキャパシタＣＳに接続された他方の端部とを有する。同様に、赤の偏向ヨークＬＨＲは、トランジスタＱ１のコレクタに接続された一方の端部と、キャパシタＣ２を介してキャパシタＣＳに接続された他方の端部とを有する。ヨークＬＨＢとキャパシタＣ１との間の接続点は、２つのダイオードＤ４及びＤ５の直列配置によってヨークＬＨＲとキャパシタＣ２との間の接続点に接続されている。インダクタＬ４は、トランジスタＱ１のコレクタを二つのダイオードＤ４とＤ５との間の接続点に接続する。インダクタＬ４は、図３Ａの回路のインダクタＬ２及びＬ３に取って代わり、図３Ａの回路と同じレベルのラスタシフトを達成するためにインダクタＬ２及びＬ３のインダクタンス値のおよそ２分の１の値を有する。インダクタＬ４の電流は、Ｑ１のコレクタでの電圧信号の積分（ｉｎｔｅｇｒａｔｉｏｎ）により引き起こされる。ダイオードＤ４又はダイオードＤ５のいずれかが導通しており、キャパシタＣ１及びＣ２は値が大きいので、この積分は、図４Ｆに示されているように、双ランプ形状で、且つ連続的であり、直流成分を有さないＬ４の電流を生ずる。図３Ａの回路の動作とは異なり、ダイオードＤ４及びＤ５は、図４Ｂ及び４Ｃに示されているように、半分の時間しか導通しない。
【００２３】
電子ビームが夫々のＣＲＴ表面の左側から中央部に移動している水平走査の第１の半期間に、ダイオードＤ５のみが順方向にバイアスをかけられて導通し、一方、ダイオードＤ４は、順方向にバイアスをかけられないので導通しない。赤の水平ヨークＬＨＲの電流ＩＬＨＲは、キャパシタＣ２を流れる電流ＩＣ２からダイオードＤ５を流れる電流ＩＤ５を引いた値に等しい。赤色電子ビームがＣＲＴを横切って中央に動かされると、ダイオードＤ５はオフとなって、走査の第２の半期間で、電流ＩＣ２は、ダイオードＤ５が零であるので、赤の水平ヨーク電流ＩＬＨＲに等しい。キャパシタＣ２を流れる電流の平均値は零でなければならないので、図４Ｅに示されているように、これにより電流ＩＬＨＲは非対称となる。このことによって、結果として、赤色ＣＲＴの表面上のラスタが右にシフトされる。赤色電子ビームがＣＲＴ表面の中央から右端に移動している水平走査の第２の半期間に、ダイオードＤ４のみが順方向にバイアスをかけられて導通し、一方、ダイオードＤ５は、順方向にバイアスをかけられないので導通しない。青の水平ヨークＬＨＢの電流ＩＬＨＢは、キャパシタＣ１を流れる電流ＩＣ１からダイオードＤ４を流れる電流ＩＤ４を引いた値に等しい。青色電子ビームがＣＲＴ表面の左側から中央部に移動している水平走査の第１の半期間に、ダイオードＤ４はオフとなり、従って、電流ＩＣ１は、電流ＩＤ４が零であるので、電流ＩＬＨＢに等しい。キャパシタＣ１を流れる電流の平均値は零でなければならないので、図４Ｄに示されているように、これにより電流ＩＬＨＢは非対称となる。このことによって、結果として、青色ＣＲＴの表面上のラスタが左にシフトされる。
【００２４】
図４Ｃに示されているように、電流ＩＤ５は、直流成分値ＩＣＲを伴う脈動する交流波形である。電流ＩＤ５の交流成分はキャパシタＣ２を流れるが、直流電流ＩＣＲは、図４Ａに示された方向で、赤の水平偏向ヨークＬＨＲを流れなければならず、それによって、所望のラスタシフトを生ずる。キャパシタＣ２が存在するために、直流電流ＩＣＲは、インダクタＬ４、ダイオードＤ５及び巻線ＬＨＲによって形成されているループに閉じこめられる。ダイオードＤ５は走査時間の半期間しか導通しないが、キャパシタＣ２は、走査の第２の半期間で、直流電流ＩＣＲが連続的に流れ続けるように、充電及び放電される。キャパシタＣ２は、巻線ＬＨＲと共に作動して、脈動する電流ＩＤ５を直流電流ＩＣＲに平滑化する。
【００２５】
図４Ｂに示されているように、電流ＩＤ４は、直流成分値ＩＣＢを伴う脈動する交流波形である。電流ＩＤ４の交流成分はキャパシタＣ１を流れるが、直流電流ＩＣＢは、図４Ａに示された方向で、青の水平偏向ヨークＬＨＢを流れなければならず、それによって、所望のラスタシフトを生ずる。キャパシタＣ１が存在するために、直流電流ＩＣＢは、インダクタＬ４、ダイオードＤ４及び巻線ＬＨＢによって形成されているループに閉じこめられる。ダイオードＤ４は走査時間の半期間しか導通しないが、キャパシタＣ１は、走査の第１の半期間で、直流電流ＩＣＢが連続的に流れ続けるように、充電及び放電される。キャパシタＣ１は、巻線ＬＨＢと共に作動して、脈動する電流ＩＤ４を直流電流ＩＣＢに平滑化する。
【００２６】
図４Ｇは、ラスタ位置調整補正回路を有さない緑の水平ヨーク電流ＩＬＨＧと共に表示されている青及び赤の水平ヨーク電流ＩＬＨＢ及びＩＬＨＲの波形を示す。留意すべきは、青及び赤の水平ヨーク電流ＩＬＨＢ及びＩＬＨＲは、電流ＩＣＢ及びＩＣＲに等しい量で緑の水平ヨーク電流ＩＬＨＧからずらされている点である。
【００２７】
所望のラスタシフトのレベルは、インダクタＬ４のインダクタンス値によって決定される。増大したラスタシフトを達成するには、インダクタＬ４のインダクタンス値は、より低くなければならない。ラスタシフトの量を低減するには、インダクタＬ４のインダクタンス値は増大されなければならない。留意すべきは、ダイオードＤ４及びＤ５は、発生させられた如何なる無線周波数ＥＭＩも大いに低減するように、それらを流れる電流が零となる時点で切り替わる点である。
【００２８】
図４Ａに示されているラスタシフト回路の所望の動作は、図４Ａの回路を僅かに変形した他の実施例で実施されても良い。図５の実施例では、図４ＡのキャパシタＣ１及びＣ２は、キャパシタＣＳ２及びＣＳ３によって置き換えられている。更に、キャパシタＣＳは取り除かれ、目下、キャパシタＣＳ１が緑色ＣＲＴヨークＬＨＧの水平巻線に対して直列に置かれている。キャパシタＣＳ１、ＣＳ２及びＣＳ３の容量値は、相互に等しく、三つに分けられた図４ＡのキャパシタＣＳに等しい。これは、キャパシタＣ２のように、費用の観点からも好ましく、Ｃ２は、大きな容量値を有さなければならず、全ての水平偏向ヨーク電流を伝えることができなければならない。従って、大容量の電解コンデンサが使用されなければならないということになる。キャパシタＣＳ１、ＣＳ２及びＣＳ３は、物理的なサイズ及び値においてより小さいので、より安いプラスティックフィルム型キャパシタが使用されても良い。
【００２９】
他の実施例では、図６に示されているように、インダクタＬ４の上側の端子は、トランジスタＱ１のコレクタの代わりに、走査変圧器Ｔのタップオフ巻線Ｔ１’に戻されている。こうすることで、巻線Ｔ１’のタップでのパルス電圧は、トランジスタＱ１のコレクタでのパルス電圧よりも振幅が小さい。インダクタＬ４のインダクタンスは、図４Ａと同程度のラスタシフトを達成するよう小さくされなければならないが、最終的には、インダクタＬ４の両端の電圧波形のボルト・秒の積は低減され、インダクタＬ４は、物理的により小さくされ、より安価となりうる。タップの位置が巻線Ｔ１’のＢ＋端子のより近くに動かされ、インダクタＬ４の値が更に小さくされ、それがＳ字形成キャパシタＣＳの所望の効果を弱め始めるという点で、図６のトポロジーを使用する回路の設計では注意が払われなければならない。更に、図６のインダクタＬ４の電流のランプは、図４ＡのインダクタＬ４の電流よりも顕著なＳ字形を有する。これは、図６のダイオードＤ４及びＤ５を流れる電流の直流レベルに影響を及ぼしうる。
【００３０】
最後に、本発明の更なる他の実施例では、図７に示されているように、図５及び６に示されている実施例の特徴が組み合わされている。
【００３１】
本願で開示されている構造の多数の代替及び変形は、当業者にとって明らかである。しかし、上記実施例は、説明のために挙げられているに過ぎないことが理解されるべきであり、本発明の限定として認識されるべきではない。本発明の精神から外れることのない全てのこのような変形は、添付の特許請求の範囲の適用範囲内にある。
【図面の簡単な説明】
【００３２】
【図１Ａ】ＣＲＴ投影型テレビ受信機用の既知の水平偏向回路の回路図を示す。
【図１Ｂ】帰線キャパシタの両端の電圧の波形を示す。
【図１Ｃ】ＣＲＴの水平偏向ヨークを流れる電流の波形を示す。
【図２】ラスタ位置調整回路を有する他の既知の水平偏向回路の回路図を示す。
【図３Ａ】ラスタ位置調整回路を有する他の既知の水平偏向回路の回路図を示す。
【図３Ｂ】ダイオードＤ４を流れる電流の波形を示す。
【図３Ｃ】ダイオードＤ５を流れる電流の波形を示す。
【図３Ｄ】青の偏向ヨーク及びそのキャパシタＣ１を流れる電流の波形を示す。
【図３Ｅ】赤の偏向ヨーク及びそのキャパシタＣ２を流れる電流の波形を示す。
【図４Ａ】本発明のラスタ位置調整回路を有する水平偏向回路の第１の実施例の回路図を示す。
【図４Ｂ】ダイオードＤ４を流れる電流の波形を示す。
【図４Ｃ】ダイオードＤ５を流れる電流の波形を示す。
【図４Ｄ】青の偏向ヨーク及びそのキャパシタＣ１を流れる電流の波形を示す。
【図４Ｅ】赤の偏向ヨーク及びそのキャパシタＣ２を流れる電流の波形を示す。
【図４Ｆ】インダクタＬ４を流れる電流の波形を示す。
【図４Ｇ】赤、緑及び青の偏向ヨークの夫々を流れる電流の波形を示す。
【図５】本発明のラスタ位置調整回路を有する水平偏向回路の第２の実施例の回路図を示す。
【図６】本発明のラスタ位置調整回路を有する水平偏向回路の第３の実施例の回路図を示す。
【図７】本発明のラスタ位置調整回路を有する水平偏向回路の第四の実施例の回路図を示す。
【図１Ａ】
2006528860.tif 000003
【図１Ｂ】
2006528860.tif 000004
【図１Ｃ】
2006528860.tif 000005
【図２】
2006528860.tif 000006
【図３Ａ】
2006528860.tif 000007
【図３Ｂ】
2006528860.tif 000008
【図３Ｃ】
2006528860.tif 000009
【図３Ｄ】
2006528860.tif 000010
【図３Ｅ】
2006528860.tif 000011
【図４Ａ】
2006528860.tif 000012
【図４Ｂ】
2006528860.tif 000013
【図４Ｃ】
2006528860.tif 000014
【図４Ｄ】
2006528860.tif 000015
【図４Ｅ】
2006528860.tif 000016
【図４Ｆ】
2006528860.tif 000017
【図４Ｇ】
2006528860.tif 000018
【図５】
2006528860.tif 000019
【図６】
2006528860.tif 000020
【図７】
2006528860.tif 000021
【国際調査報告】
2006528860.tif 000022
2006528860.tif 000023